(57)【要約】【課題】観察者または術者が表示装置本体の観察用接眼部から眼を離すことなく手術等に必要な情報を得ることができる立体観察装置を提供することにある。【解決手段】立体表示装置本体３内に２つの表示装置３１Ｌ，３１Ｒを内蔵し、それぞれの表示装置の画面に表示された立体内視鏡１５による観察像を上記立体表示装置本体３に形成されたアイシェード８の位置から術者９が観察することで立体観察を実現する立体観察装置において、上記術者９が上記アイシェード８の位置から上記立体表示装置本体３内を経て上記本体３外の術野を観察するときに使用する開口窓部４０と、この開口窓部４０を通じて上記立体表示装置本体３外の術野を観察するときに開ける開閉自在なシャッター４２とを具備した。【選択図】    図４
2004305367.tif 000002
【特許請求の範囲】
【請求項１】
術野を遮る位置に配置される表示装置本体を有し、この立体表示装置本体内に２つの表示装置を内蔵し、それぞれの表示装置の画面に表示された立体内視鏡による観察像を上記立体表示装置本体に形成された観察用接眼部の位置から観察者が観察することで立体観察を実現する立体観察装置において、
上記立体表示装置本体に設けられ、上記観察者が上記観察用接眼部の位置から上記立体表示装置本体内を経て上記本体外の術野を観察するときに使用する開口窓部と、
この開口窓部を通じて上記立体表示装置本体外の術野を観察するときに開ける開閉自在なシャッターと、
を具備したことを特徴とする立体観察装置。
【請求項２】
上記開口窓部には拡大観察または広角観察を可能とするための光学部材を配置したことを特徴とする第１項に記載の立体観察装置。
【請求項３】
立体観察用の２つの表示装置以外に少なくとも１つ以上の表示手段を設け、観察者が上記観察用接眼部の位置から上記表示手段の表示を観察できるようにしたことを特徴とする第１項または第２項に記載の立体観察装置。
【発明の詳細な説明】
【０００１】
【発明の属する技術分野】
本発明は、術野を遮る位置に配置され、術野の立体観察を行う立体観察装置に関する。
【０００２】
【従来の技術】
従来、小型モニターを内蔵した顔面装着型映像表示装置（ＦＭＤ）や頭部装着型映像表示装置（ＨＭＤ）が知られ、これらの映像表示装置はいずれも使用者の身に付けて簡便に使用できるので、外科手術等の医療現場で撮像ユニットにより患者の手術部位または治療部位を撮影して得た映像を観察する場合にも使用されてきた（特許文献１参照）。
【０００３】
【特許文献１】
特開平９−９８９８５号公報（段落００１６及び図１を参照）
【０００４】
【発明が解決しようとする課題】
外科手術等の医療現場では医療現場以外に使用される場合に比べてより高い解像度の映像が求められる。このため、装着型映像表示装置に十分な解像度を有した比較的大きい立体観察用の２つのモニターを組み込むと、その装着型装置本体を大型化し、かつ全体重量が増す。この結果、装着型映像表示装置の使え勝手が悪くなり、その装着形式のままでは現在以上に解像度を高めることができなかった。
【０００５】
そこで、十分な高解像度を有した立体観察用の２つのモニターを内蔵した装置本体を支持アームにより支持するようにした映像表示装置が提案された。
【０００６】
しかし、手術中、映像表示装置から眼を離して肉眼で手術部位を直接に観察したい場合、映像表示装置が大型であるだけに、肉眼観察の邪魔になる。そこで、支持アームを屈曲することで、手術部位を肉眼で観察可能な位置まで映像表示装置本体を移動退避させる操作が必要であったが、この作業は非常に煩わしい。
【０００７】
また、上述したように小型モニターを内蔵した顔面装着型映像表示装置（ＦＭＤ）や頭部装着型映像表示装置（ＨＭＤ）の装着型映像表示装置を使用する場合も、手術中、手術部位を肉眼で直接に観察したい場合があった。このような場合には装着型映像表示装置を身体から取り外し、肉眼観察の間、映像表示装置を観察者自身の手に持つなどの作業が必要であり、それらの作業が煩わしかった。
【０００８】
また、身体装着型映像表示装置や支持アームに支持させた映像表示装置を持続的に使用して観察しながら手術を実施している場合、患者の状態は術者自身には分かり難い。そこで、助手や麻酔医等から口頭で報告を受けるようにしていた。しかし、助手や麻酔医は患者の状態に変化が起きたとき、それを把握してから口頭で術者に報告するので、術者自身が患者の状態の変化を認識するまでタイムラグがあった。
【０００９】
本発明は、観察者または術者が表示装置本体の観察用接眼部から眼を離すことなく表示装置本体外の術野を観察して手術等に必要な情報を得ることができる立体観察装置を提供することにある。
【００１０】
【課題を解決するための手段】
上記目的を達成するために、本発明は、術野を遮る位置に配置される立体表示装置本体を有し、この立体表示装置本体内に２つの表示装置を内蔵し、それぞれの表示装置の画面に表示された立体内視鏡による観察像を上記立体表示装置本体に形成された観察用接眼部の位置から観察者が観察することで立体観察を実現する立体観察装置において、
上記立体表示装置本体に設けられ、上記観察者が上記観察用接眼部の位置から上記立体表示装置本体内を経て上記本体外の術野を観察するときに使用する開口窓部と、この開口窓部を通じて上記立体表示装置本体外の術野を観察するときに開ける開閉自在なシャッターとを具備したものである。
【００１１】
【発明の実施の形態】
（第１実施形態）
図１〜６を用いて本発明の第１実施形態に係る立体観察装置ついて説明する。
【００１２】
図１は立体観察システムにおける立体画像表示装置（以下、立体表示装置と呼ぶ）１を示している。この立体表示装置１は支持手段の支持アーム２に接続され、これらの自重は支持アーム２に設けられた図示しないバランス錘の重量によって全体的に相殺されるように設定されている。このため、立体表示装置１は任意の位置に置かれると、その位置にあたかも宙に浮いたような状態で保持される。立体表示装置１の本体（筐体）３の上面には支柱４が取り付けられ、この支柱４は上記支持アーム２の先端アーム部２ａに対し、俯仰軸５により俯仰自在に連結されている。また、支柱４と先端アーム部２ａの間には両者に適度な摺動摩擦力が作用するように図示しない例えば皿バネ等の摩擦発生機構が組み込まれている。よって、立体表示装置１を、俯仰軸５を回転中心として上記支持アーム２に対して傾斜回動できると共に、任意の位置で立体表示装置１から手を離せば、その姿勢位置に立体表示装置１を維持できる。図１に示すように、立体表示装置１の本体３は使用するとき、通常は術野の上方に位置し、術野を遮る位置に配置される。
【００１３】
図１に示すように、上記立体表示装置１の本体３における手前の壁面部には立体観察時に覗くための左眼用観察窓６Ｌと右眼用観察窓６Ｒが観察者の眼の間隔に見合う所定の間隔で左右に並べて配設されている。また、本体３における前面壁部には左眼用観察窓６Ｌと右眼用観察窓６Ｒの下側に位置して上記立体視以外の場合に使用する左眼用観察窓７Ｌと右眼用観察窓７Ｒが所定の間隔で左右に並べて設置されている。立体視用の左眼用観察窓６Ｌと右眼用観察窓６Ｒの中心位置の間隔は観察者の瞳間隔に略合わせて設定され、これらの下側に位置する立体視以外の場合に使用する左眼用観察窓７Ｌと右眼用観察窓７Ｒの中心位置の間隔も同じく観察者の瞳間隔に略合わせて設定されている。これらの観察窓６Ｒ，６Ｌ、７Ｌ，７Ｒを設けた領域の周囲にはアイシェード８が形成され、観察者（術者）９が観察するときの観察用接眼部となっている。
【００１４】
観察用接眼部のアイシェード８には術者９の顔面を当てる縁８ａが形成されている。そして、図２に示すように、観察する際は術者９の顔面をアイシェード８の縁８ａに当て位置決めされる。この観察位置において、立体観察用の左眼用観察窓６Ｌと右眼用観察窓６Ｒは術者９の眼の真正面に向く視線１１上に配置されており、また、立体観察以外の観察用の左眼用観察窓７Ｌと右眼用観察窓７Ｒは斜め下方へ向く視線１２上に位置するように配置されている。
【００１５】
図２は上記立体表示装置１を用いた立体観察システムの説明図である。立体観察システムは立体観察用撮像手段として立体内視鏡１５を備える。この立体内視鏡１５は図３に示すようにその筐体内に患者体腔内の観察対象部位１０を左右から見る視差のある左右２つの光学系１６Ｌ，１６Ｒと、それら左右の像をそれぞれ撮像する撮像手段としての２つの撮像素子１７Ｌ，１７Ｒが内蔵されている。さらに、立体内視鏡１５には患者体腔内の観察対象部位１０を広範囲な２次元観察を可能とするために上記左右２つの光学系１６Ｌ，１６Ｒ以外にもう一つの光学系１８とその像を撮像する撮像手段としての撮像素子１９が設けられている。つまり、立体内視鏡１５には３つの撮像系が内蔵され、これらの３つの撮像素子１７Ｌ，１７Ｒ、１９からの信号はいずれも図２に示すコントローラー２１に備えられた図２では示されない３台のカメラコントロールユニット（以下、ＣＣＵ）へケーブル２２を介して伝送され、それぞれ映像信号に変換されるようになっている。立体内視鏡１５は図２に示すベット２０に取り付けられたスコープホルダー２３によって保持されている。
【００１６】
図２に示す符号２５で示すものは患者２６の腹壁等に穿刺して体腔内に通じている管からなる内視鏡用トラカールであり、上記立体内視鏡１５はこのトラカール２５内を通じて患者体腔内まで挿入されている。同じく図２に示す符号２７で示すものは処置具用トラカールであり、上記立体内視鏡１５の場合と同様、この処置具用トラカール２７を介して処置具２８が患者体腔内へ挿入される。
【００１７】
上記処置具２８は立体表示装置１を覗いている術者（観察者）９の手で操作され、患者２６の体腔内の処置を実施するためのものである。また、術者９が立体内視鏡１５による観察像を立体表示装置１により観察しながら手術をする場合に楽な姿勢となるように立体表示装置１を適度に俯仰させて最も自然な状態で術者９の眼の真正面に向く矢印で示す視線１１の方向に立体観察用観察窓６Ｌ，６Ｒが一致するようになっている。
【００１８】
図４（Ａ）（Ｂ）は立体表示装置１の内部構造を示すものである。図４（Ａ）は内部構造の平面図であり、図４（Ｂ）は内部構造の側面図である。立体表示装置１の本体３内には左右２つの表示装置が設けられている。ここで、左右２つの表示装置には液晶表示装置（液晶モニター、以下、ＬＣＤと呼ぶ。）３１Ｌ，３１Ｒが用いられる。左右２つのＬＣＤ３１Ｌ，３１Ｒには立体内視鏡１５の撮像手段により撮像された左右の映像がそれぞれ別々に映し出されるようになっている。
【００１９】
図４（Ａ）（Ｂ）に示すように、各ＬＣＤ３１Ｌ，３１Ｒに映し出された像はそれぞれ対応して設けた第１段目のミラー３２Ｌ，３２Ｒと第２段目のミラー３３Ｌ，３３Ｒにより順次反射され、接眼レンズ３４Ｌ，３４Ｒにより予め設定されている画面サイズでそれぞれが立体観察用の左眼用観察窓６Ｌと右眼用観察窓６Ｒを通じて立体的に観察できるようになっている。なお、左右２つの観察窓６Ｌ，６Ｒには上記ＬＣＤ３１Ｌ，３１Ｒの表示面上に表示される画像を拡大観察するために接眼光学系（図示せず）を設けてもよい。
【００２０】
さらに、図４（Ａ）（Ｂ）に示すように、立体表示装置１の本体３内には別の表示装置として小型液晶モニター（以下、小型ＬＣＤと呼ぶ。）３１Ｗが設けられ、この小型ＬＣＤ３１Ｗには患者体腔内の広範囲な２次元観察を可能とするために上記立体内視鏡１５に設けられた撮像素子１９により撮像された像を映し出すようになっている。この小型ＬＣＤ３１Ｗに映し出された像は第１段目のミラー３５と第２段目のミラー３６により反射され、同じく上記立体観察用観察窓６Ｌ，６Ｒから観察できるように構成されている。このとき、第２段目のミラー３６によって反射された像の光軸と、上記第２段目のミラー３３Ｌ，３３Ｒにより反射された像の光軸とは図４（Ｂ）に示すように角度θをなしている。ここで、角度θは一般に人間が眼球（視線）を移動させなければその方向からの観察像を視認できない角度である。
【００２１】
図４（Ａ）（Ｂ）に示すように、立体表示装置１の本体３における下面壁部分には開口窓部４０が設けられている。この開口窓部４０には拡大レンズ４１及びシャッター４２が設けられている。図５および図６に示すように、上記開口窓部４０は開口枠部４３によって開口が構成され、本体３の下面から突き出る鏡筒を兼ねた凸部によってその内側に四角形の角孔（開口）４５を形成している。この角孔４５内には外形が四角形となる上記拡大レンズ４１が図示しない接着剤等により固定的に取り付けられている。ここで、拡大レンズ４１はシャッター４２を開き、図２において術者９が矢印（視線１２）で示す下向きの１２方向に眼（視線）を向けて観察した場合に表示装置本体外の術野、例えばトラカール周辺を拡大観察できるような光学的仕様で構成されている。
【００２２】
立体表示装置１を使用するとき、上記開口枠部４３の凸部外周にはその立体表示装置１の本体３を覆う滅菌されたドレープ４６に設けたドレープキャップ４７が装着されるようになっている。ドレープキャップ４７は例えばウレタン樹脂などで成型されており、上記開口枠部４３の凸部外周部分に締まり嵌めの状態で着脱自在に取り付けられている。また、ドレープキャップ４７には透明なドレープカバーガラス４８が設けられ、拡大レンズ４１の表面を覆うようになっている。そして、滅菌されたドレープ４６は立体表示装置１のみならず、上記支持アーム２を含めて機器を全体的に覆うことで手術する作業領域付近を清潔に保つ。
【００２３】
また、図４（Ａ）（Ｂ）に示すように、開口窓部４０において拡大レンズ４１の鏡筒を兼ねる開口枠部４３の内側に形成される角孔４５はシャッター４２により開閉される。すなわち、シャッター４２の機構は上記角孔４５の内側開口部分を開閉可能なように配置した同一形状の２つの遮光板５１を備え、２つの遮光板５１はいずれも両脇に設けたレール５２によって同一直線方向にガイドされ、スライド移動できるようになっている。また、各遮光板５１の内側表面部にはラック５３が同じ向きで固定的に取り付けられ、各ラック５３にはそれぞれ別の同じ大きさの平歯車（ピニオン）５４が噛み合い、平歯車５４には同じ大きさの駆動用ギヤ５５がそれぞれ噛み合っている。これらの部品は左右対称に配置され、図示のようにレール５２を除き、左右一対に配置されている。上記駆動用ギヤ５５は後述するモーター５６の駆動軸に固定される。
【００２４】
そして、図５に示すように、平歯車５４はラック５３に対し同じ側に配置されている。この場合、２つの駆動用ギヤ５５は逆向きに同時に回転するようにモーター５６により同時に駆動されるようになっている。このとき、各遮光板５１はレール５２によって同一直線方向にガイドされ、その移動方向は逆向きである。
【００２５】
図５は両方の遮光板５１が角孔４５の中央位置で突き当たって閉じた状態を示し、この遮光板５１を開く場合、すなわち、左右の遮光板５１をそれぞれ矢印５７，５８で示す方向へ移動させる場合には図５において右側に配置されている平歯車５４を矢印６１で示す方向に回転する方向にギヤ５５を回転させ、左側に配置されている平歯車５４を矢印６２で示す方向にギヤ５５を回転させるようにモーター５６を駆動する。述べるまでもないが、遮光板５１を閉じる場合にはモーター５６をその逆方向へ回転させる。
【００２６】
図７は本実施形態における各装置部の接続関係を示すブロック図である。立体内視鏡１５に設けた撮像素子１７Ｌ，１７Ｒ、１９からそれぞれ撮像信号を受ける３台のＣＣＵ（カメラコントロールユニット）６５Ｌ，６５Ｒ，６６には上記ＬＣＤ３１Ｌ，３１Ｒと小型ＬＣＤ３１Ｗがそれぞれ別々に接続される。また、３台のＣＣＵ６５Ｌ，６５Ｒ，６６により上記ＬＣＤ３１Ｌ，３１Ｒと小型ＬＣＤ３１Ｗに警告を表示させる表示手段が組み込まれている。つまり、患者バイタルサインを測定する機器、例えば心電図計や血圧計等の機器から情報を受ける警告表示コントロール装置６７が接続されている。そして、立体内視鏡１５による観察像以外の情報の信号を出力する信号出力装置を構成し、これらの機器から入力される信号が予め定めておく範囲から外れた場合に上記ＬＣＤ３１Ｌ，３１Ｒと小型ＬＣＤ３１Ｗに警告を示すサインとその警告内容を表示するための出力信号を出力するようになっている。
【００２７】
また、シャッター４２のモーター５６をそれぞれ駆動制御するモーター駆動装置（ユニット）６８が設けられており、この２つのモーター駆動装置６８にはフットスイッチ６９が接続されている。そして、フットスイッチ６９を踏むと、各モーター５６がモーター駆動装置６８により駆動され、シャッター４２の２つの遮光板５１を開き、再びフットスイッチ６９を踏むと、その遮光板５１が閉じるように構成される。
【００２８】
次に、立体観察装置を使用して手術を行う場合について説明する。ここで、立体内視鏡１５による観察像を立体表示装置１で観察しながら手術をする場合の術者９の適切な姿勢は立体表示装置１の有無に拘わらず、術者９の視線が手術操作をする部分に略一致する姿勢である。
【００２９】
術者９は適切な姿勢を得る姿勢で手術操作するために図２に示したように立体表示装置１を俯仰させた状態で手術を開始する。術者９は立体表示装置１を覗き、立体内視鏡１５で得られた立体観察像をＬＣＤ３１Ｌ，３１Ｒにより立体観察し、処置を実施する。
【００３０】
また、処置中に処置部位周辺を広範囲に観察する必要が発生した場合には視線を角度θ上方に向けることで、ＬＣＤ３１Ｗに表示された立体内視鏡１５による広範囲な２次元像を観察できる。このように、広範囲な観察をする場合、術者は視線を角度θだけ上方に向けるだけで、ＬＣＤ３１Ｌ，ＬＣＤ３１Ｒに表示された立体観察像に惑わされることなく、所望の観察を実施できる。同様の理由により立体観察をしている場合にはＬＣＤ３１Ｗに表示された２次元観察像により立体観察が惑わされることはない。
【００３１】
一方、手術進行中において、立体内視鏡１５で得られた観察像ではなく、表示装置１の本体外の術野（手術部位や手術器具等の表示装置本体
で遮られる領域を広く含む）を直接的に観察した場合がある。例えば処置具で把持した縫合針などを患者の体腔外から体腔内に入れる場合では処置具２８を患者体腔内から抜き、縫合針を処置具２８で把持した後にその処置具２８をトラカール２７へ再挿入する作業が必要であり、このような作業を行う場合には術者は処置具用トラカール２７の挿入口がある矢印１２で示す向きで直接的に観察したい。
【００３２】
そこで、術者はフットスイッチ６９を操作し、立体表示装置１のシャッター４２を開くと共に、左眼用観察窓７Ｌと右眼用観察窓７Ｒを通じて覗く。そして、開口窓部４０を通じて、さらに拡大レンズ４１とドレープカバーガラス４８を介して、処置具用トラカール２７の開口部と処置具２８で把持した縫合針の作業部位を観察する。
【００３３】
縫合針を処置具用トラカール２７へ挿入したのち再び観察窓６Ｌ，６Ｒから覗くことで立体内視鏡１５による立体観察により縫合などの処置を再開する。このように立体内視鏡１５による観察を再開したのち術者９はフットスイッチ６９を操作してシャッター４２の遮光板５１を閉じる。このため、観察窓６Ｌ，６Ｒから覗き、立体観察する際に開口窓部４０から光が混入するなどの観察を邪魔する現象がなくなり、明瞭な立体観察を確保できる。
【００３４】
また、手術中に患者２６のバイタルサインに変化が生じ、例えば心電図計や血圧計等から警告表示コントロール装置６７への信号出力が予め定めておいた範囲から外れた場合には警告表示装置５７からＣＣＵ６５Ｌ，６５Ｒ，６６に警告を示すサインと警告内容を表示させるための出力信号が発信され、ＬＣＤ３１Ｌ，３１Ｒと小型ＬＣＤ３１Ｗに表示され、その表示内容により、術者９は警告を受けると共に、その警告内容を知ることができる。
【００３５】
本実施形態によれば、立体表示装置１には斜め下方を覗く位置に観察窓７Ｌ，７Ｒと開口窓部４０が設けられ、必要に応じて立体表示装置１内を通じてその下方部位を観察できる。また、開口窓部４０には拡大レンズ４１を配置したので視野を拡大して観察できる。このため、患者体腔外で小さな縫合針などを扱う場合でも立体表示装置１から顔を離すことなく最小限の姿勢変化のみで作業を実施することができる。また、患者体腔外で小さな縫合針などを扱う場合でも立体表示装置１から顔を離すことなく最小限の姿勢変化のみで作業状況を拡大して観察しながら的確な作業を迅速に実施することができる。
【００３６】
また、開口窓部４０はシャッター４２によって開閉自在であり、必要がないときは開口窓部４０を閉じておけるので、立体表示装置１外の光が進入しないので他の観察を妨げない。また、立体観察をするための表示画面に患者状態の警告が表示されることにより術者は立体表示装置１を覗いた状態で患者の状態を把握できるので手術に専念できる。
【００３７】
なお、上記実施形態では開口窓部４０に拡大レンズ４１を配置して拡大観察できるようにしたが、開口窓部４０に広角レンズを配置して広角で観察できるようにしてもよい。また、開口窓部４０に拡大レンズおよび広角レンズを挿脱自在に設けて使用状況に応じて拡大レンズおよび広角レンズの一方を開口窓部４０に装着して使用するようにしても良い。更に開口窓部４０に拡大レンズ４１や広角レンズ等の光学部材を設けることなく、開口窓部４０の開口を透過して立体表示装置１の外部を直接に観察する、いわゆるスルー観察をできるようにしても良い。
【００３８】
（第２実施形態）
図８〜１１を用いて本発明の第２実施形態について説明する。なお、前述した第１実施形態と同様の構成については同一番号を付与し、その詳細な説明を省略する。
【００３９】
図８（Ａ）（Ｂ）に示すように、本実施形態の立体表示装置１は立体内視鏡１５により撮像した広範囲な２次元観察像をそれぞれ表示する左右一対のＬＣＤ８１Ｌ，８１Ｒを本体３内に配置し、それぞれの液晶モニターが表示する同一の拡大観察像を術者の左眼と右眼に向けて入射させるようにした。この左右一対のＬＣＤ８１Ｌ，８１Ｒは図８（Ａ）（Ｂ）に示すように、本体３内で立体観察用のＬＣＤ３１Ｌ，３１Ｒの上側に位置して配置される。
【００４０】
さらに、２次元観察用のＬＣＤ８１Ｌ，８１Ｒと、立体観察用のＬＣＤ３１Ｌ，３１Ｒは上下に分かれて配置されるが、その間には遮蔽板８３が配置されている。遮蔽板８３は立体観察または２次元観察の異なる形式の観察によるバックライトにより観察しにくくなることを防止するために設けたものである。
【００４１】
２次元観察は左眼用観察窓６Ｌと右眼用観察窓６Ｒを通じて行うこともできるが、ここではさらに左眼用観察窓６Ｌと右眼用観察窓６Ｒの上に設けた別の観察窓８４Ｌ，８４Ｒを通じて覗き観察できるようになっている。もっとも、観察用接眼部から眼を離す必要がない。また、立体観察用のＬＣＤ３１Ｌ，３１Ｒの縁で遮蔽板８３の近傍には表示手段の一例としての警告ランプ（灯）８５が設けられている。なお、表示手段の表示を上記観察用接眼位置の観察者の眼に伝達する光伝達手段は上記光伝達手段を利用する場合に限らず、別に設けても良い。
【００４２】
開口窓部４０には上記実施形態と同様に広角（または拡大）レンズ８６およびシャッターが設けられているが、ここでのシャッターは広角レンズ８６の開口を遮蔽することができる液晶シャッター８７によって構成されている。
【００４３】
図９に示すように、上記液晶シャッター８７にはコネクタ８８で液晶シャッター駆動ケーブル８９に接続している。液晶シャッター駆動用ケーブル８９のもう一端は後述する液晶シャッター駆動装置９１に接続されている（図１１参照）。図１０は広角レンズ８６と液晶シャッター８７の位置関係を示している。液晶シャッター８７が開いているときに広角レンズ８６により広角観察が可能であり、液晶シャッター８７が閉じているときは広角レンズ８６から立体表示装置１外の光が進入することを防止するように構成されている。
【００４４】
図１１は本実施形態における各装置の接続関係を示すブロック図である。広角２次元観察用の２台のＬＣＤ８１Ｌ，８１Ｒには広角２次元観察用のＣＣＵ９５が接続されている。また、警告表示コントロール装置６７には２次元観察用のＣＣＵ９５と上記警告ランプ８５が接続されている。警告が必要になった場合に警告表示コントロール装置６７からの出力信号により警告ランプ８５を点灯させると同時にＬＣＤ８１Ｌ，８１Ｒに警告内容を表示する。
【００４５】
上記液晶シャッター駆動装置９１にはフットスイッチ９２が接続されており、液晶シャッター８７は液晶シャッター駆動装置９１により駆動されるようになっている。そして、フットスイッチ９２をオン操作すると、液晶シャッター８７が透過状態になり、広角レンズ８６による観察が可能となり、再びフットスイッチ９２を操作すると液晶シャッター８７が閉じた状態になる。
【００４６】
術者は立体表示装置１を覗き、立体内視鏡１５で得られた立体観察像をＬＣＤ３１Ｌ，３１Ｒにより立体観察して処置する。処置中に処置部位周辺の広角観察を必要とする事態が発生した場合には観察窓６Ｌ，６Ｒから観察窓８４Ｌ，８４Ｒに視線を移動させることで、ＬＣＤ８１Ｌ，８１Ｒに表示された立体内視鏡１５による広範囲な２次元像を観察する。
【００４７】
また、ここでも、遮蔽板８３が立体観察用ＬＣＤ３１Ｌ，３１Ｒと、広角２次元観察用ＬＣＤ８１Ｌ，８１Ｒの間を仕切っているので、ＬＣＤ３１Ｌ，３１Ｒに表示された立体観察像に惑わされることなく所望の観察を実施できる。同様に立体観察をしている場合には２次元観察像により立体観察が惑わされることはない。
【００４８】
手術進行中に立体内視鏡１５の先端が汚れ、観察しづらい状況になった場合にはその立体内視鏡１５の挿入部を拭く必要がある。この場合、患者の体腔内から抜去した立体内視鏡１５の挿入部を拭いた後に再び体腔内に入れることになるので、術者はフットスイッチ９２を操作すると共に観察窓７Ｌ，７Ｒに視線を移し、広角レンズ８６を介してトラカール２５の開口部を含んだ患者体表面の周辺を観察しながら立体内視鏡１５をトラカール２５へ挿入する作業を行う。
【００４９】
この作業終了後、術者は観察窓６Ｌ，６Ｒに視線を戻して立体内視鏡１５による観察を再開する。立体内視鏡１５による観察を再開したのち必要に応じて術者はフットスイッチ９２を操作して液晶シャッター８７を閉じる。
【００５０】
手術中に患者のバイタルサインに変化が生じ、例えば心電図計や血圧計等からの警告表示コントロール装置６７への信号出力が予め定めておいた範囲から外れた場合にはこの警告表示コントロール装置６７から警告ランプ８５に信号が送られて警告ランプ８５を点灯させると同時にＣＣＵ９５に警告内容を表示するための出力信号を発信し、ＬＣＤ８１Ｌ，８１Ｒに警告内容を表示する。また、ＬＣＤ３１Ｌ，３１Ｒによって立体観察をしていた術者は警告ランプ８５の点灯により警告が出されていることを認識し、観察窓８４Ｌ，８４Ｒに視線を移動させ、その警告の内容を確認する。
【００５１】
本実施形態では立体表示装置１に設けた開口窓部４０に広角レンズ８６を配置したので、立体表示装置１から顔を離すことなく最小限の視線移動のみで患者体腔外の状況を拡大して確認することができる。また、立体観察をするための表示画面には画像以外の表示は無く、警告等の必要な情報は作業時に観察しない画面に表示されるので、術者が処置に必要な画像を遮ることがない。更に開口窓部４０に広角レンズ８６等の光学部材を設けることなく、開口窓部４０の開口を透過して立体表示装置１の外部を直接に観察する、いわゆるスルー観察をできるようにしても良い。
【００５２】
（第３実施形態）
図１２〜１５を用いて本発明の第３実施形態について説明する。なお、前述した第１実施形態および第２実施形態と同様の構成については同一番号を付与し、その詳細な説明を省略する。
【００５３】
本実施形態では開口窓部４０に設置するシャッター手段をロータリーシャッター１０１で構成したものである。ロータリーシャッター１０１は回転軸１０２に対し固定的に取り付けたシャッター板１０３を有する。立体表示装置１の本体３外に設けた操作レバー１０４により回転軸１０２を回転することで、シャッター板１０３を回動し、開口窓部４０を開閉する。すなわち、シャッター板１０３は回転軸１０２を回転させることで、図１３中で、実線で示した閉鎖位置から２点鎖線で示した開放位置まで移動するように構成した。シャッター板１０３を開き、術者の視線を観察窓６Ｌ，６Ｒから下側に位置する観察窓７Ｌ，７Ｒに向けて移動させることにより開口窓部４０を通じて立体表示装置１の外部を直接に透過していわゆるスルー観察ができる。
【００５４】
図１５は本実施形態における装置部分の接続関係を示したブロック図である。３台のＣＣＵ６５Ｌ，６５Ｒ，６６には警告表示コントロール装置６７が接続されており、必要に応じて警告内容をＣＣＵ６５Ｌ，６５Ｒ，６６に表示可能な構成になっている。
【００５５】
本装置を使用する場合、術者は立体表示装置１を覗き立体内視鏡１５で得られた立体観察像をＬＣＤ３１Ｌ，３１Ｒによって立体観察し、処置作業を実施する。この処置中に処置部位周辺の観察をする必要が発生した場合は観察窓６Ｌ，６Ｒから観察窓８４Ｌ，８４Ｒに視線を移動させることで、ＬＣＤ３１Ｗに表示された立体内視鏡１５による広範囲な２次元像を観察する。ここでも、遮蔽板８３がＬＣＤ３１Ｗと３１Ｌ，３１Ｒの間を仕切っているので、ＬＣＤ３１Ｌ，３１Ｒに表示された立体観察像に惑わされることなく所望の観察を実施できる。同様に立体観察をしている場合には２次元観察像により立体観察が惑わされることはない。
【００５６】
また、手術進行中に患者体表面の周辺を観察する必要が発生した場合、視線を観察窓７Ｌ，７Ｒに移動させると共に、操作レバー１０４を操作し、ロータリーシャッター１０１を開いて所望の直視的観察を実施する。立体内視鏡１５による観察に戻る場合は視線を観察窓６Ｌ，６Ｒに戻す。このとき、立体表示装置１の外部からの外来光侵入を防止したい場合は操作レバー１０４を操作してロータリーシャッター１０１を閉じる。
【００５７】
また、手術中に患者のバイタルサインに変化が生じ、例えば、心電図計や血圧計等からの警告表示コントロール装置６７への信号出力が予め定めておいた範囲から外れた場合にはその警告表示コントロール装置６７から３台のＣＣＵ６５Ｌ，６５Ｒ，６６に出力信号が発信され、ＬＣＤ３１Ｌ，３１Ｒ，３１Ｗに同一警告内容を表示する。
【００５８】
本実施形態の立体表示装置１では外部の状態を観察するための開口窓部４０に手動のシャッターを設けるようにし、レンズなどの光学部品の配置もしていないため、立体表示装置１を小型軽量、安価に構成できる。
【００５９】
立体観察用の表示装置と広範囲観察用の表示装置の双方に警告内容を表示するので、術者がどの画面を観察している場合でも瞬時に警告内容を把握することができる。
【００６０】
なお、上記実施形態ではいわゆる虚像立体観察式のものを示したが、撮像ユニットで撮像した互いに視差を有する左眼用の第１像と右眼用の第２像を、表示ユニットとしてのＴＶモニター上の同一画面に互いに視差のある画像として交互に順次表示し、観察者はその画像の順次切り替えと同期した左右順次切り替えシャッター機能を有する眼鏡を装着して上記ＴＶモニターを見て交互に表示される視差のある左右の像が観察者の左右の眼で観察し、立体観察ができるようにした据置型ＴＶモニター式のものであってもよい。
【００６１】
また、本発明は上記実施形態そのままに限定されるものではなく、実施段階ではその要旨を逸脱しない範囲で構成要素を変形して具体化できる。上記各実施形態に開示されている複数の構成要素の適宜な組み合せることにより種々の発明を構成できる。例えば、上記実施形態に示される全構成要素から幾つかの構成要素を削除してもよい。更に、異なる実施形態に亘る構成要素を適宜組み合せて構成してもよい。
【００６２】
また、上記説明によれば、以下の付記に示す事項が得られる。
＜付記＞
１．術野を遮る位置に配置される表示装置本体を有し、この表示装置本体内に２つの表示装置を内蔵し、それぞれの表示装置の画面に表示された立体内視鏡による観察像を上記表示装置本体に形成された観察用接眼部の位置から観察者が観察することで立体観察を実現する立体観察装置において、上記表示装置本体に設けられ、上記観察者が上記観察用接眼部の位置から上記表示装置本体内を経て上記本体外の術野を観察するときに使用する開口窓部と、この開口窓部を通じて上記表示装置本体外の術野を観察するときに開ける開閉自在なシャッターと、を具備したことを特徴とする立体観察装置。
これによれば、表示装置の像以外に直接に術部周辺を観察する場合はシャッターを開くことで、観察者は観察用接眼部の位置からそのまま開口窓部を通じて表示装置本体外の術野を観察出来る。
【００６３】
２．上記開口窓部には拡大観察または広角観察を可能とするための光学部材を配置したことを特徴とする第１項に記載の立体観察装置。
上記開口窓部に拡大レンズを設けた場合には術部周辺の拡大観察を実施できる。また、開口窓部に広角レンズを設けた場合には術部周辺をより広い範囲で観察できる。
【００６４】
３．立体観察用の２つの表示装置以外に少なくとも１つ以上の表示手段を設け、観察者が上記観察用接眼部の位置から上記表示手段の表示を観察できるようにしたことを特徴とする第１項または第２項に記載の立体観察装置。
４．立体内視鏡による観察像以外の情報を、上記表示装置及び上記表示手段の少なくとも一方のものに表示するための信号を出力する信号出力装置が接続されたことを特徴とする第１〜３項に記載の立体観察装置。
【００６５】
５．上記表示手段の少なくとも一つは警告灯であることを特徴とする第３項または第４項に記載の立体観察装置。
６．上記情報は患者に異常が生じたときのバイタルサインであることを特徴とする第５項に記載の立体観察装置。
第５〜６項によれば、例えば、患者の状態に注目すべき変化が生じた場合、瞬時に表示装置を観察している術者に情報を知らせることが出来る。
【００６６】
７．上記表示手段の表示を上記観察用接眼位置の観察者の眼に伝達する光伝達手段を備えたことを特徴とする第１〜６項に記載の立体観察装置。
８．上記表示装置本体は支持手段により移動自在に支持されたことを特徴とする第１〜７項に記載の立体観察装置。
９．上記光学部材は拡大レンズ及び広角レンズであり、この拡大レンズ及び広角レンズを選択して開口窓部に配置できるレンズ切り替え手段を設けたことを特徴とする第１〜８項に記載の立体観察装置。
これによれば、状況に応じて必要な拡大観察または広角観察に切り替えて観察者は観察用接眼位置からそのままいずれの観察も十分に観察出来る。また、拡大観察と広角観察を切り替えて使用する場合、観察者が視線を変更するだけで拡大観察専用モニターと広角観察専用のモニターを選択的に観察することが出来る。
【００６７】
【発明の効果】
以上説明したように、観察者または術者が表示装置本体の観察用接眼部から眼を離すことなく、表示装置本体外を観察して必要な情報を得ることができるので、手術等を円滑に進行させることができる。
【図面の簡単な説明】
【図１】本発明の第１実施形態に係る立体表示装置の斜視図。
【図２】本発明の第１実施形態に係る立体表示装置を用いた立体観察システムの説明図。
【図３】本発明の第１実施形態に係る立体観察システムの立体内視鏡の説明図。
【図４】（Ａ）は本発明の第１実施形態に係る立体表示装置の内部構造を示す平面図、（Ｂ）はその立体表示装置の内部構造を示す側面図。
【図５】本発明の第１実施形態に係る立体表示装置の開口窓部の平面図。
【図６】図５中Ａ−Ａ線に沿う開口窓部の断面図。
【図７】本発明の第１実施形態に係る立体観察システムの各装置部の接続関係を示すブロック図。
【図８】（Ａ）は本発明の第２実施形態に係る立体表示装置の内部構造を示す平面図、（Ｂ）はその立体表示装置の内部構造を示す側面図。
【図９】本発明の第２実施形態に係る立体表示装置の開口窓部の平面図。
【図１０】図９中Ｂ−Ｂ線に沿う開口窓部の断面図。
【図１１】本発明の第２実施形態に係る立体観察システムの各装置部の接続関係を示すブロック図。
【図１２】（Ａ）は本発明の第３実施形態に係る立体表示装置の内部構造を示す平面図、（Ｂ）はその立体表示装置の内部構造を示す側面図。
【図１３】本発明の第３実施形態に係る立体表示装置の開口窓部の平面図。
【図１４】図１３中Ｃ−Ｃ線に沿う開口窓部の断面図。
【図１５】本発明の第３実施形態に係る立体観察システムの各装置部の接続関係を示すブロック図。
【符号の説明】
１…立体表示装置、３…本体、６Ｌ…左眼用観察窓、
６Ｒ…右眼用観察窓、７Ｌ…左眼用観察窓、７Ｒ…右眼用観察窓、
８…アイシェード、９…術者、１０…観察対象部位、１５…立体内視鏡、
４０…開口窓部、４１…拡大レンズ、４２…シャッター。
【図１】
2004305367.tif 000003
【図２】
2004305367.tif 000004
【図３】
2004305367.tif 000005
【図４】
2004305367.tif 000006
【図５】
2004305367.tif 000007
【図６】
2004305367.tif 000008
【図７】
2004305367.tif 000009
【図８】
2004305367.tif 000010
【図９】
2004305367.tif 000011
【図１０】
2004305367.tif 000012
【図１１】
2004305367.tif 000013
【図１２】
2004305367.tif 000014
【図１３】
2004305367.tif 000015
【図１４】
2004305367.tif 000016
【図１５】
2004305367.tif 000017